(57)【特許請求の範囲】
【請求項１】
少なくとも表示部を有する第１の筐体と、第１の操作手段を有する第２の筐体とからなり、前記第１の筐体と前記第２の筐体とが重なり合う場合に、前記第１の筐体と対向する前記第２の筐体の内側表面に前記第１の操作手段が設けられ、前記第２の筐体と反対側の前記第１の筐体の外側表面に前記表示部が設けられ、前記表示部より大きいレイアウトに配置された文字列を前記第１の操作手段によって少なくとも第１の方向と該第１の方向と直交する第２の方向とにスクロール表示可能な携帯端末であって、
前記第１の筐体と前記第２の筐体とが重なり合う閉状態であるか、離れている開状態であるかを検知する検知手段と、
前記レイアウトの文字列を表示する際、前記検知手段が前記第１の筐体と前記第２の筐体とが閉状態であると判断した場合、前記文字列を前記表示部内で折り返して表示する制御を行う第１の制御手段と、
前記レイアウトの文字列を表示する際、前記検知手段が前記第１の筐体と前記第２の筐体とが開状態であると判断した場合、前記文字列を前記レイアウトのまま表示する制御を行う第２の制御手段と、
前記第１の筐体と前記第２の筐体とが閉状態であるときに操作可能であり、前記第２の筐体の側面に設けられる、少なくとも２つのキーからなる第２の操作手段と、
を具備し、前記第１の筐体と前記第２の筐体が開状態であると判断される場合に前記第１の操作手段に割り当てられるジャンプ表示の操作機能を、前記第１の筐体と前記第２の筐体が閉状態であると判断される場合に、前記第２の操作手段に切り換えて割り当てることを特徴とする携帯端末。
【請求項２】
更に、前記第１の操作手段または前記第２の操作手段のうちの所定のキーが操作されると、前記文字列のうち、所定のジャンプ先に基づく位置が先頭になるように、表示する文字列のレイアウトを変更する第３の制御手段と、を有することを特徴とする請求項１に記載の携帯端末。
【請求項３】
更に、前記第１の操作手段または前記第２の操作手段のうちの所定の１つが操作されると、前記文字列のうちの、所定のジャンプ先に基づく位置が末尾になるように、表示する文字列のレイアウトを変更する第３の制御手段と、を有することを特徴とする請求項１に記載の携帯端末。
【請求項４】
更に、前記検出手段によって前記第１の筐体と前記第２の筐体とが閉状態であると判断された場合には、前記第２の操作手段が押下される毎に、複数のジャンプ先項目の中から前記所定のジャンプ先を順次選択する第４の制御手段と、を有することを特徴とする請求項２または請求項３に記載の携帯端末。
【請求項５】
少なくとも表示部を有する第１の筐体と、第１の操作手段を有する第２の筐体とからなり、前記第１の筐体と前記第２の筐体とが重なり合う場合に、前記第１の筐体と対向する前記第２の筐体の内側表面に前記第１の操作手段が設けられ、前記第２の筐体と反対側の前記第１の筐体の外側表面に前記表示部が設けられ、前記表示部より大きいレイアウトに配置された文字列を前記第１の操作手段によって少なくとも第１の方向と該第１の方向と直交する第２の方向とにスクロール表示可能な携帯端末であって、
前記第１の筐体と前記第２の筐体とが重なり合う閉状態であるか、離れている開状態であるかを検知する検知手段と、
前記レイアウトの文字列を表示する際、前記検知手段が前記第１の筐体と前記第２の筐体とが閉状態であると判断した場合、前記文字列を前記表示部内で折り返して表示する制御を行う第１の制御手段と、
前記レイアウトの文字列を表示する際、前記検知手段が前記第１の筐体と前記第２の筐体とが開状態であると判断した場合、前記文字列を前記レイアウトのまま表示する制御を行う第２の制御手段と、
前記第１の筐体と前記第２の筐体とが閉状態であるときに操作可能であり、前記第２の筐体の側面に設けられる、少なくとも２つのキーからなる第２の操作手段と、
前記第２の操作手段の前記２つのキーうちの１つのキーが押下されると、前記第１の方向にスクロール操作し、別の一つのキーが操作されると、前記文字列のうちの、所定のジャンプ先に基づく位置が先頭になるように、表示する文字列のレイアウトを変更する第３の制御手段と、
を具備し、前記第１の筐体と前記第２の筐体が開状態であると判断される場合に前記第１の操作手段に割り当てられるジャンプ表示の操作機能を、前記第１の筐体と前記第２の筐体が閉状態であると判断される場合に、前記第２の操作手段に切り換えて割り当てることを特徴とする携帯端末。
【発明の詳細な説明】
【技術分野】
【０００１】
本発明は、小さい画面を有する携帯端末において、インターネットのサイト文書やパーソナルコンピュータ等のサイズの大きい文書を操作性よく表示移動を行うことができる携帯端末に関する。
【背景技術】
【０００２】
（背景技術１）
マイクロソフト社のＷｏｒｄ（Ｒ）は、文書内で表示を移動する機能として、スクロール表示と指定位置への移動表示などがある。スクロールは、垂直方向に表示しきれない文章をスクロールするための垂直スクロールバーと、水平方向に表示しきれない文章をスクロールするための水平スクロールバーがある。また、指定位置への移動は、ジャンプ機能や特殊文字検索機能があり、ユーザが、ジャンプ先が記載された選択ツールバーや特殊文字が記載された選択ツールバーの中から、ページ、段落記号、英数字等を選択し、ジャンプや検索を実行すると、そこへ表示が移動する。
【０００３】
（背景技術２）
狭い画面に効率よくスクロール表示を行う文字表示装置がある（例えば、特許文献１参照。）。この特許文献１では、広い表示領域を必要とするテキストを狭い画面に表示するに際して、領域表示と折返表示をユーザが適宜切り替えることができる。領域表示は、元のテキストの位置（文字の並び）を変更することなく、全体の一部の領域が表示され、ユーザが上下および左右のスクロールを指示して表示部分を移動するものである。折返表示は、１行の表示文字数を狭い画面の横幅に揃え、超えた分を順次次の行に表示するものであり、ユーザが上下のみのスクロールを指示して表示部分を移動するものである。
【特許文献１】特開２００５−１６４６８３号公報（第７頁、図５〜図７）
【発明の開示】
【発明が解決しようとする課題】
【０００４】
従来の背景技術１のＷｏｒｄ（Ｒ）では、ユーザが、ジャンプ先が記載された選択ツールバーや特殊文字が記載された選択ツールバーの中から、ページ、段落記号、英数字等の選択先を指定し、ジャンプや検索を実行すると、そこへ表示が移動する。この時、ページを選択先としてジャンプした場合は、選択先の表示位置は画面の上端左端の角の部分となる。また、英数字等を選択先としてジャンプした場合は、選択先の表示位置は画面の上端左端の角の部分ではなくて、画面中の任意の位置であり、選択先より前の文章部分も画面中に表示されてしまう。
【０００５】
これを携帯電話に適用した場合は、小さい画面では、選択先より前の文章部分も画面中に表示されてしまうために、選択先より後の文章部分の表示が少なくなってしまうと共に、選択先部分が画面中の任意の位置に表示されてしまうために、全体表示を確認するための表示移動を行う時の使い勝手が悪いという問題があった。
【０００６】
従来の背景技術２の文字表示装置では、領域表示は上下および左右のスクロールを行うために４個のキーが必要であり、折返し表示は上下のみのスクロールを行うために２個のキーが必要である。これを携帯電話に適用した場合、開閉式筐体の位置関係によってキーが隠れた時などは、スクロールキーに割り当てられるキーが制限されて、ユーザが自由に領域表示と折返表示を切り替えることができないという問題がある。  
本発明は、上記の問題点を解決するためになされたもので、小さい画面を有する携帯端末において、インターネットのサイト文書やパーソナルコンピュータ等のサイズの大きい文書を表示移動する場合に、領域表示と折返し表示の自動切換えを行うと共に、スクロールおよびジャンプ表示の操作キーの割り当ても自動で行い、表示移動の操作性を向上した携帯端末を提供することを目的とする。
【課題を解決するための手段】
【０００７】
上記目的を達成するために、本発明の携帯端末は、少なくとも表示部を有する第１の筐体と、第１の操作手段を有する第２の筐体とからなり、前記第１の筐体と前記第２の筐体とが重なり合う場合に、前記第１の筐体と対向する前記第２の筐体の内側表面に前記第１の操作手段が設けられ、前記第２の筐体と反対側の前記第１の筐体の外側表面に前記表示部が設けられ、前記表示部より大きいレイアウトに配置された文字列を前記第１の操作手段によって少なくとも第１の方向と該第１の方向と直交する第２の方向とにスクロール表示可能な携帯端末であって、前記第１の筐体と前記第２の筐体とが重なり合う閉状態であるか、離れている開状態であるかを検知する検知手段と、前記レイアウトの文字列を表示する際、前記検知手段が前記第１の筐体と前記第２の筐体とが閉状態であると判断した場合、前記文字列を前記表示部内で折り返して表示する制御を行う第１の制御手段と、前記レイアウトの文字列を表示する際、前記検知手段が前記第１の筐体と前記第２の筐体とが開状態であると判断した場合、前記文字列を前記レイアウトのまま表示する制御を行う第２の制御手段と、前記第１の筐体と前記第２の筐体とが閉状態であるときに操作可能であり、前記第２の筐体の側面に設けられる、少なくとも２つのキーからなる第２の操作手段とを具備し、前記第１の筐体と前記第２の筐体が開状態であると判断される場合に前記第１の操作手段に割り当てられるジャンプ表示の操作機能を、前記第１の筐体と前記第２の筐体が閉状態であると判断される場合に、前記第２の操作手段に切り換えて割り当てることを特徴とする。
【発明の効果】
【０００８】
本発明によれば、小さい画面を有する携帯端末において、インターネットのサイト文書やパーソナルコンピュータ等のサイズの大きい文書を表示移動する場合に、領域表示と折返し表示の自動切換えを行うと共に、スクロールおよびジャンプ表示の操作キーの割り当ても自動で行い、表示移動の操作性を向上することが可能となる。
【発明を実施するための最良の形態】
【０００９】
以下、本発明の実施例を、図面を参照して説明する。  
【実施例】
【００１０】
図１は、本発明の実施例に係る携帯端末の外観図であり、「Ａ：正面図」と「Ｂ：側面図」を示す。携帯端末１００は、上筐体１と下筐体２が回転軸３により回動自在に接続されており、「Ａ：正面図」は上筐体１と下筐体２が開いた状態、「Ｂ：側面図」は、上筐体１と下筐体２が閉じた状態を示す。上筐体１の正面には、表示部４が設けられる。また、上筐体１の内部には、状態検出部２２ａが設けられる。下筐体２の正面には、機能キー５（横1列に並んだ３個）、方向キー６（上下左右矢印表示の４個）、確定キー７、数字文字キー８など（第１の操作手段）が設けられる。また、下筐体２の内部には、状態検出部２２ｂが設けられる。下筐体２の側面には、サイドキー９〜１１（第２の操作手段）が搭載される。
【００１１】
上筐体１と下筐体２の回動は、「Ａ：正面図」において、上筐体１と下筐体２が回転軸３を中心にして、時計の短針と長針のように回転する方式である。そのため、上筐体１を下筐体２に重ねた時には、「Ｂ：側面図」のようになり、表示部４は外側を向いており、例えば、インターネットの表示、文書の表示、テレビ受信表示などに使用することができる。しかし、下筐体２の正面に搭載された各種のキー５〜８は、上筐体１の陰に隠れて、ユーザは操作することができず、使用できるキーは側面のサイドキー９〜１１に限定される。筐体の状態の検出は、状態検出部２２ａと２２ｂが近接することにより行われ、例えば、ホールＩＣなどの磁気センサが用いられる。
【００１２】
図２は、本発明の実施例に係る携帯端末の文書表示画面を説明する図であり、「Ａ：領域表示」、「Ｂ：折返し表示」、「Ｃ：文書と画面の文書欄」を示す。  
「Ｃ：文書と画面の文書欄」は、インターネットや他の方法により得られた文書のレイアウトと、携帯端末１００の表示部４の画面の文書欄の大きさ（点線部分）を比較したものである。携帯端末１００の表示部４の画面は一般的に小さいために、文書を全て表示することができない場合が多い。それを表示する方法として、「Ａ：領域表示」と「Ｂ：折返し表示」がある。
【００１３】
「Ａ：領域表示」および「Ｂ：折返し表示」のジャンプ先表示欄２ａは、ジャンプ表示を行う際のユーザにより選択されたジャンプ先が表示される。ユーザは、このジャンプ先表示欄２ａを見ることにより、ジャンプ表示における現在のジャンプモードを知ることができる。この例では「１文送り」が予め選択されている。タイトル欄２ｂは、文書のタイトル名が表示される。文書欄２ｃは、文書が表示される。機能表示欄２ｄは、操作スイッチの機能を表し、機能キー５（図１）やサイドキー１１などが割り当てられる。垂直スクロール２ｅ欄は、垂直方向のスクロールを表示する。水平スクロール２ｆ欄は、水平方向のスクロールを表示する。
【００１４】
「Ａ：領域表示」は、垂直スクロールおよび水平スクロールを行うためにキーの数を多く必要とする。そのため、「Ａ：正面図」（図１）に示したように上筐体１が開いた時には、操作できるキーの数が多いため、「Ａ：領域表示」が適用される。  
「Ａ：領域表示」は、画面の文書欄の大きさに入る部分の文書を折り返すことなく、そのまま表示するものである。文書が途中で途切れて連続しないので、ユーザは意味を理解しにくいが、文書のレイアウトを変更したくない時などに用いられる。ユーザは、文書の全体を見通すためには、垂直スクロールおよび水平スクロール機能により、画面の文書欄内の表示を移動させる必要がある。また、ジャンプ表示により表示を移動することもでき、ジャンプ先表示欄に表示された内容のジャンプ表示を行うことができる。
【００１５】
また、「Ａ：領域表示」の場合のキーの割り当ては、正面のキー５〜８などが全て操作できる状態なので、垂直スクロール用のキーとして、方向キー６（図１）の上下方向のキー２個が割り当てられる。水平スクロール用のキーとして、方向キー６の左右方向のキー２個が割り当てられる。機能表示欄に表示された「戻る」「選択」「メニュー」機能用として、機能キー５の３個がそれぞれ割り当てられる。
【００１６】
「Ｂ：折返し表示」は、スクロールについては、垂直スクロールのみであり、比較的、キーの数が少なくて済む。そのため、「Ｂ：側面図」（図１）に示したように、上筐体１が閉じた時には、操作できるキーの数が少ないため、「Ｂ：折返し表示」が適用される。  「Ｂ：折返し表示」は、画面の文書欄の右端で文書を折り返して表示するものである。文書が連続するので、ユーザはそのレイアウトのまま意味を理解することができる。画面の文書欄の右端外部には文書は存在しないので、スクロールは垂直スクロール機能のみでよい。また、ジャンプ表示により表示を移動することもでき、ジャンプ先表示欄に表示された内容のジャンプ表示を行うことができる。  
また、「Ｂ：折返し表示」の場合のキーの割り当ては、操作できるキーは側面のサイドキー９〜１１に限定される。その割り当ての詳細については、後述する（図４）。
【００１７】
図３は、本発明の実施例に係る携帯端末のジャンプ設定画面を説明する図であり、ジャンプ表示のジャンプ先を設定するものである。「Ａ：領域表示」、「Ｂ：折返し表示」（図２）の機能表示欄のメニュー操作などにより、文書表示画面（図２）から図３のジャンプ設定画面へ移行する。画面３ａは、ジャンプ表示におけるジャンプ先として、ページ送り、１文送り、段落送り、見出し送り、ユーザ指定送り、リンク先が表示されて、選択操作を行うことにより１つが選択される。画面３ａは、１文送りが選択されて、カーソル表示（点線）されている例である。そして、選択されたジャンプ先が、「Ａ：領域表示」、「Ｂ：折返し表示」（図２）のジャンプ先表示欄２ａに表示される。
【００１８】
ページ送りは、文書のページ切り替え符号を検出するジャンプモードである。１文送りは、文書の１文章の切れ目である句点やピリオド（英文の場合）を検出するジャンプモードである。段落送りは、文書の改行を検出するジャンプモードである。見出し送りは、文書のパラグラフのタイトルに含まれる数字記号などを検出するジャンプモードである。ユーザ指定送りは、ユーザが指定する文字列を検出するジャンプモードである。リンク先は、Ｗｅｂ等のリンク先記号を検出するジャンプモードである。ユーザ指定送りを選択した場合は、画面３ｃの状態になり、ユーザは、指定したい文字列を入力する。
【００１９】
図４は、本発明の実施例に係る携帯端末の折返し表示時のサイドキーの割り当てを説明する図である。「Ｂ：折返し表示」（図２）状態において、サイドキー９（図１）は、垂直スクロールの上方向用として割り当てられ、文書をスクロールする。サイドキー１０は、垂直スクロールの下方向用として割り当てられ、文書をスクロールする。サイドキー１１は、押す時間により、例えば1秒未満の短押しの場合は、ジャンプ先を順次切り替え、切り替えたジャンプ先を「Ｂ：折返し表示」（図２）のジャンプ先表示欄２ａに表示する。例えば1秒以上の長押しの場合は、そのジャンプを実行する。なお、短押しと長押しの機能を逆にしてもよい。短押しと長押しの時間の区切りは、１秒に限定されない。
【００２０】
ジャンプ設定画面（図３）状態の時は、サイドキー９および１０は、ジャンプ先を選択するための上方向、下方向キーとして割り当てられる、カーソル移動を行う。サイドキー１１は、短押しの場合は、ジャンプ設定画面（図３）の機能表示欄３ｄの機能を順次切り替え、長押しの場合は、その機能表示を実行する。なお、短押しと長押しの機能を逆にしてもよい。
【００２１】
図５は、本発明の実施例に係る携帯端末の関連部分のブロック図である。図１と同じ部分については同じ番号を付して説明する。携帯端末１００は、文書ファイル２１、状態検出部２２、機能キー５、方向キー６、確定キー７、数字文字キー８、サイドキー９〜１１、通信制御部２３、アンテナ２４、表示部２５、主制御部２６などによって構成される。更に、主制御部２６は、領域折返し制御部２７、ジャンプ先選択項目記憶部２８、ジャンプ先設定部２９、スクロールジャンプ制御部３０などによって構成される。
【００２２】
文書ファイル２１は、インターネットで入手した文書やパーソナルコンピュータ等で作成した文書を、通信媒体やメモリ媒体を経由して記憶するメモリである。状態検出部２２は、上筐体１（図１）と下筐体２の位置関係の状態を検出する手段である。各種のキー５〜１１は、図１で説明したので、ここでは説明を省略する。通信制御部２３およびアンテナ２４は、図示しない基地局との間での無線通信の制御を行う。表示部２５は、ＬＣＤ等により構成される表示手段である。
【００２３】
主制御部２６は、携帯端末１００の全体の制御を行う。特に、本発明に関して、主制御部２６の領域折返し制御部２７は、「Ａ：領域表示」（図２）と「Ｂ：折返し表示」の自動切換え制御などを行う。主制御部２６のジャンプ先選択項目記憶部２８は、ジャンプ表示におけるジャンプ先として、ページ送り、１文送り、段落送り、見出し送り、ユーザ指定送り、リンク先の項目を記憶する。主制御部２６のジャンプ先設定部２９は、ユーザの操作入力に従って、ジャンプ先の設定を行う。主制御部２６のスクロールジャンプ制御部３０は、ユーザのスクロール操作やジャンプ表示の操作に従って、表示移動を行う。
【００２４】
図６は、本発明の実施例に係る携帯端末の主制御部のジャンプ先設定部の動作フローチャートである。ジャンプ先設定部２９は、ジャンプ設定画面（図３）の画面３ａ、３ｂなどにおいて、ユーザ操作による方向キーをチェックして、選択されたジャンプモードを設定する（ステップＳ１）。もし、ユーザ指定送りが選択されて、更に編集キーが操作された場合は、画面３ｃにおいて、文字列入力状態になり、ユーザ操作により入力された文字列を登録する（ステップＳ２）。
【００２５】
図７は、本発明の実施例に係る携帯端末の主制御部の動作フローチャートであり、主制御部の領域折返し制御部およびスクロールジャンプ制御部の動作を合わせて説明する。主制御部２６の領域折返し制御部２７は、筐体の開閉状態をチェックする（ステップＳ１１）。閉状態であれば、サイドキー９〜１１に対して、図４に示したように、折返し表示画面やジャンプ設定画面における操作を割り当てる（ステップＳ１２）。そして、折返し表示（図２。「Ｂ：折返し表示」）の文書レイアウトを作成し、表示させる（ステップＳ１３）。
【００２６】
ステップＳ１１で開状態であれば、垂直スクロール用および上下方向のカーソル用のキーとして、方向キー６（図１）の上下方向のキー２個を割り当てる。水平スクロール用のキーとして、方向キー６の左右方向のキー２個を割り当てる。機能表示欄に表示された「戻る」「選択」「メニュー」機能用として、機能キー５の３個をそれぞれ割り当てる（ステップＳ１４）。そして、領域表示（図２。「Ａ：領域表示」）の文書レイアウトを作成し、表示させる（ステップＳ１５）。
【００２７】
次に、主制御部２６のスクロールジャンプ制御部３０は、上記割り当てられたスクロールキーの操作をチェックする（ステップＳ１６）。スクロールキー操作があれば、上下左右の方向に応じて文書をスクロールしたレイアウトを作成し、表示させる（ステップＳ１７）。また、上記割り当てられたジャンプ実行キーの操作をチェックする（ステップＳ１８）。ジャンプ実行キーの操作があれば、図６において予め設定されたジャンプ表示のジャンプモードを実行する（ステップＳ１９）。
【００２８】
このジャンプ表示での画面の推移について、以下に説明する（図８、図９）。  
図８は、本発明の実施例に係る携帯端末の領域表示におけるジャンプ表示の画面の推移を説明する図である。「Ａ：ジャンプ前」の文書８ａは、文書ファイル２１（図５）に記憶されている。文書８ａ中には、ピリオド８ｂが存在し、１文章の区切りを表す。点線で示した画面表示８ｃ欄は、小さいために、文書８ａのレイアウト全体を表示することができない。領域表示においては、文書８ａのレイアウトを変更せずに、画面表示８ｃ欄に入る文書８ａ中の部分のみを表示している。
【００２９】
今、予めジャンプ表示のモードとして「１文送り」が選択設定されているとし、ジャンプ表示がユーザにより実行されると、主制御部２６のスクロールジャンプ制御部３０は、「１文送り」つまりピリオドを文書８ａ中から検索する。そして、そのピリオド８ｂ近辺を画面の左上端部にレイアウトし、表示させる。それにより、画面表示８ｃ欄は、「Ｂ：ジャンプ後」の点線で示した画面表示８ｄ欄のようになる。つまり、点線の画面枠の左上端部に、ピリオド８ｂ近辺がレイアウト配置される。なお、この例では、ピリオド８ｂは、点線の画面枠の外に置いたが、点線の画面枠の内部の左上端部においてもよい。
【００３０】
図９は、本発明の実施例に係る携帯端末の折返し表示におけるジャンプ表示の画面の推移を説明する図である。折返し表示においては、文書９ａのレイアウトを変更し、「Ａ：ジャンプ前」の点線の画面表示９ｃに示すように、画面枠の右端で、文書９ａを折り返して次の行に連続して表示する。つまり、文書９ａ中の「Toshiba has」までは、画面枠に入るので１行目に表示し、以降の「been contributing・・・」を次の行に折返して表示する。この例では、「contributing」の単語が長いために、３行目に折り返しているが、「contributing」を分断して、２行目と３行目にレイアウトしてもよい。
【００３１】
今、予めジャンプ表示のモードとして「１文送り」が選択設定されているとし、ジャンプ表示がユーザにより実行されると、主制御部２６のスクロールジャンプ制御部３０は、「１文送り」つまりピリオドを文書９ａ中から検索する。そして、そのピリオド９ｂ近辺を画面の左上端部にレイアウトし、表示させる。それにより、画面表示９ｃ欄は、「Ｂ：ジャンプ後」の点線で示した画面表示９ｄ欄のようになる。つまり、点線の画面枠の左上端部に、ピリオド９ｂ近辺がレイアウト配置される。なお、この例では、ピリオド９ｂは、点線の画面枠の外に置いたが、点線の画面枠の内部の左上端部においてもよい。
【００３２】
なお、図８、図９において、「１文送り」の場合のジャンプ表示について説明したが、ページ送り、段落送り、見出し送り、ユーザ指定送り、リンク先の場合も同様に、文書中の検索された項目近辺が画面枠の左上端部になるようにレイアウト配置されてジャンプ表示される。また、リンク先の場合は、画面枠の左上端部ではなく、最下端に配置するようにしてもよい。
【００３３】
また、段落送りは、文書の改行を検出するジャンプモードとしたが、２回連続改行や、改行＋空白を検索するようにしてもよい。また、見出し送りは、文書の数字記号などを検出するジャンプモードとしたが、フォントサイズやカラー変更などを検索するようにしてもよい。また文書の検索は、後方を検索して、その部分へジャンプ表示したが、前方検索として、その部分が、画面枠の右下端部になるようにレイアウト配置されてジャンプ表示してもよい。
【００３４】
また、筐体の位置関係の状態により、領域表示と折返し表示の切り替えを行ったが、操作できるキーの数に制限を受ける使用方式があれば、その状態により領域表示と折返し表示の切り替えを行ってもよい。  
また、上筐体１と下筐体２とが重なり合う場合に操作可能なキーとして、サイドキー９〜１１を第２の操作手段としたが、重なり合う場合に操作可能なキーであれば、それに限定されない。
【００３５】
本発明の実施例によれば、小さい画面を有する携帯端末において、インターネットのサイト文書やパーソナルコンピュータ等のサイズの大きい文書を表示移動する場合に、領域表示と折返し表示の自動切換えを行うと共に、スクロールおよびジャンプ表示の操作キーの割り当ても自動で行い、表示移動の操作性を向上することが可能となる。
【図面の簡単な説明】
【００３６】
【図１】本発明の実施例に係る携帯端末の外観図。
【図２】本発明の実施例に係る携帯端末の文書表示画面を説明する図。
【図３】本発明の実施例に係る携帯端末のジャンプ設定画面を説明する図。
【図４】本発明の実施例に係る携帯端末の折返し表示時のサイドキーの割り当てを説明する図。
【図５】本発明の実施例に係る携帯端末の関連部分のブロック図。
【図６】本発明の実施例に係る携帯端末の主制御部のジャンプ先設定部の動作フローチャート。
【図７】本発明の実施例に係る携帯端末の主制御部の動作フローチャート。
【図８】本発明の実施例に係る携帯端末の領域表示におけるジャンプ表示の画面の推移を説明する図。
【図９】本発明の実施例に係る携帯端末の折返し表示におけるジャンプ表示の画面の推移を説明する図。
【符号の説明】
【００３７】
１  上筐体
２  下筐体
３  回転軸
４  表示部
５  機能キー
６  方向キー
７  確定キー
８  数字文字キー
９〜１１  サイドキー
２１  文書ファイル
２２、２２ａ、２２ｂ  状態検出部
２３  通信制御部
２４  アンテナ
２５  表示部
２６  主制御部
２７  領域折返し制御部
２８  ジャンプ先選択項目記憶部
２９  ジャンプ先設定部
３０  スクロールジャンプ制御部
携帯端末１００
【図１】
0004796397.tif 000002
【図２】
0004796397.tif 000003
【図３】
0004796397.tif 000004
【図４】
0004796397.tif 000005
【図５】
0004796397.tif 000006
【図６】
0004796397.tif 000007
【図７】
0004796397.tif 000008
【図８】
0004796397.tif 000009
【図９】
0004796397.tif 000010